(57)【特許請求の範囲】
【請求項１】
前面開口部を有し、かつ内部に電気部品を収容する筐体と、
前記前面開口部を塞ぐようにして前記筐体の前面部の上部および下部に、複数の締結部材を用いて取り付けられるフロントカバーと、
を備えている、電気装置であって、
前記筐体の前寄り部分の上部に設けられた上向き突出部と、
前記フロントカバーの上端部から前記筐体の後方に向けて屈曲するように前記フロントカバーに設けられ、かつ前記上向き突出部の上側に位置して前記上向き突出部に係合可能な上部屈曲片部と、
前記フロントカバーが前記筐体に取り付けられているときに、前記筐体および前記フロントカバー内の収容空間部において前記フロントカバーによって圧縮され、かつ前記フロントカバーのうちの前記上部屈曲片部よりも下方の部分を前記筐体の前方へ押圧する弾発力を生じさせることが可能な弾発力発生部材と、
をさらに備えていることを特徴とする、電気装置。
【請求項２】
請求項１に記載の電気装置であって、
前記筐体に取り付けられ、かつ前記筐体内に収容されている電気部品の前面側を覆う絶縁シートを、さらに備えており、
前記弾発力発生部材は、この絶縁シートの前面部に取り付けられた弾性部材である、電気装置。
【請求項３】
請求項２に記載の電気装置であって、
前記筐体内に収容された電気部品としては、前記電気装置の稼働状況を表示するための表示部を構成する電気部品があり、
前記絶縁シートは前記表示部の前方を覆わないように設けられ、かつ前記フロントカバーには透視窓部が設けられていることにより、この透視窓部を介して前記表示部を前記フロントカバーの前方から目視可能とされており、
前記弾性部材は、前記表示部の上側に位置し、かつ前記絶縁シートからその前方に突出した状態に設けられている、電気装置。
【請求項４】
請求項２または３に記載の電気装置であって、
前記筐体内には、前記電気部品の取り付けに利用される少なくとも１つのフレームが組み込まれており、
このフレームとしては、前記絶縁シートのうち、前記弾性部材が取り付けられた部分の後面部に当接することにより、前記弾性部材が後方へ移動することを規制可能なフレームが設けられている、電気装置。
【請求項５】
請求項１ないし４のいずれかに記載の電気装置であって、
前記電気部品は、少なくともその一部分が前記筐体の前面開口部からその前方に突出した状態に設けられており、
前記フロントカバーは、前記電気部品の前記突出した部分との干渉を回避するように前記フロントカバーの他の部分よりも前方に膨出した膨出部を有しており、
前記弾発力発生部材は、前記膨出部に当接するように設けられている、電気装置。
【請求項６】
請求項１ないし５のいずれかに記載の電気装置であって、
装置全体が屋外設置用の壁掛け型のパワーコンディショナとして構成されている、電気装置。
【発明の詳細な説明】
【技術分野】
【０００１】
本発明は、パワーコンディショナなどの電気装置に関する。
【背景技術】
【０００２】
たとえば、パワーコンディショナは、太陽光パネルなどを用いた発電設備で発電された直流電力を交流電力に変換する電気回路を構成する各種の電気部品が、筐体内に収容された構成とされている。このような構成のパワーコンディショナとして、たとえば図８（ａ）に示すようなものがある（図８は、パワーコンディショナを模式的に示す概略側面断面図であり、図面の上下方向はパワーコンディショナが実際に設置された場合の上下方向である）。
図８（ａ）に示すパワーコンディショナＢは、家屋の外壁などに取り付けて使用される壁掛け型であり、前面開口状の筐体７内に所定の電気部品９５が収容され、かつ筐体７の前面開口部はフロントカバー８により塞がれている。筐体７に対するフロントカバー８の取り付けは、筐体７の前面部にフランジ部７１を設け、かつこのフランジ部７１にフロントカバー８の外周縁部を当接させて、この当接部分の複数箇所をネジ体９０により締結する手段が採用されている。フロントカバー８と筐体７との間には、防水性能を高めるためのシール用のパッキン９８が適宜介装される。
【０００３】
しかしながら、前記従来技術においては、次に述べるように改善すべき余地があった。
【０００４】
すなわち、従来においては、図８（ｂ）に示すように、ネジ体９０を取り外した際には、フロントカバー８が筐体７に適切に支持されていない状態となり、作業者がフロントカバー８を落とす虞があった。フロントカバー８を落とすと、フロントカバー８に傷が付く。また、図８とは異なり、電気部品９５の一部が筐体７の前方に突出しているような場合には、落下したフロントカバー８の一部が電気部品９５に接触し、電気部品９５を損傷させる虞もある。図８に示す構成では、フロントカバー８に上部屈曲片部８０が設けられ、この上部屈曲片部８０が筐体７のフランジ部７１に係合する構造とされているものの、このような係合状態は容易に解除され易い。とくに、パッキン９８が設けられている場合には、ネジ体９０の締め付けを緩めた際にパッキン９８の弾発力によってフロントカバー８の全体が筐体７の前方に押されるために、フロントカバー８が一層落ち易くなる。
【０００５】
前記したような不具合を解消するには、たとえば図９に示すように、フロントカバー８の上部屈曲片部８０を、追加の屈曲片部８０ａを備えたフック状とし、筐体７のフランジ部７１の後面側に追加の屈曲片部８０ａを係止可能な構成とすればよい（たとえば、特許文献１の図７〜図９を参照）。
ところが、このような手段によれば、上部屈曲片部８０の形状が複雑化し、フロントカバー８の製作に際しての曲げ加工工程数が多くなる。このため、製造コストが上昇する不利を招いてしまう。
【先行技術文献】
【特許文献】
【０００６】
【特許文献１】特開２０１２−１６９３４１号公報
【発明の概要】
【発明が解決しようとする課題】
【０００７】
本発明は、前記したような事情のもとで考え出されたものであり、フロントカバーの取り外しの際にフロントカバーを落下させる虞を少なくし、しかも製造コストの上昇を適切
に抑制することが可能な電気装置を提供することを、その課題としている。
【課題を解決するための手段】
【０００８】
上記の課題を解決するため、本発明では、次の技術的手段を講じている。
【０００９】
本発明により提供される電気装置は、前面開口部を有し、かつ内部に電気部品を収容する筐体と、前記前面開口部を塞ぐようにして前記筐体の前面部の上部および下部に、複数の締結部材を用いて取り付けられるフロントカバーと、を備えている、電気装置であって、前記筐体の前寄り部分の上部に設けられた上向き突出部と、前記フロントカバーの上端部から前記筐体の後方に向けて屈曲するように前記フロントカバーに設けられ、かつ前記上向き突出部の上側に位置して前記上向き突出部に係合可能な上部屈曲片部と、前記フロントカバーが前記筐体に取り付けられているときに、前記筐体および前記フロントカバー内の収容空間部において前記フロントカバーによって圧縮され、かつ前記フロントカバーのうちの前記上部屈曲片部よりも下方の部分を前記筐体の前方へ押圧する弾発力を生じさせることが可能な弾発力発生部材と、をさらに備えていることを特徴としている。
ここで、「前記筐体および前記フロントカバー内の収容空間部において」とは、弾発力
発生部材が、筐体およびフロントカバーを用いて形成されるそれらの内部の収容空間部に位置することを意味しており、たとえば筐体とフロントカバーとの接合箇所に単に介装され、実質的に収容空間部には位置しない部材（たとえば、先の図８で示したシール用のパッキン９８）は、前記弾発力発生部材には含まない趣旨である。
本発明に係る電気装置は、屋外設置用の壁掛け型のパワーコンディショナとして構成することができる。
【００１０】
このような構成によれば、次のような効果が得られる。
第１に、フロントカバーの上部屈曲片部を筐体の上向き突出部上に配置した係合状態とし、かつ締結部材を利用して筐体にフロントカバーが取り付けられている状態において、締結部材によるフロントカバーの取り付け状態（締結状態）を解除すると、弾発力発生部材による弾発力によってフロントカバーのうちの上部屈曲片部よりも下方の部分が筐体の前方に押圧される。一方、フロントカバーの上部屈曲片部は、重力によって筐体の上向き突出部上に載り（接触し）、この接触部分に摩擦力が発生した状態となる。このような摩擦力が発生している状態で、フロントカバーのうちの上部屈曲片部よりも下方の部分が筐体の前方に押圧されると、フロントカバーの上部屈曲片部と筐体の突出片部との係合状態が維持され、フロントカバーが落下する虞を少なくすることができる。その結果、フロントカバーの落下に起因してフロントカバーが損傷することや、落下したフロントカバーが筐体内の電気機器に当たることなどに起因して電気機器が損傷するといった不具合を適切に解消することが可能となる。
第２に、フロントカバーの上部屈曲片部は、先の図９で示したフック状に形成する必要はなく、単純な形状でよい。このため、フロントカバーの製造コストが上昇しないようにすることができる。その一方、弾発力発生部材としては、たとえば廉価な発泡樹脂などの樹脂やゴムなどを用いればよく、これらの部品コストおよび組み付けコストは、低く抑えることができる。したがって、装置全体の製造コストが大幅に上昇するといったことも適切に回避することが可能である。
【００１１】
本発明において、好ましくは、前記筐体に取り付けられ、かつ前記筐体内に収容されている電気部品の前面側を覆う絶縁シートを、さらに備えており、前記弾発力発生部材は、この絶縁シートの前面部に取り付けられた弾性部材である。
【００１２】
このような構成によれば、絶縁シートに弾性部材を取り付けた簡易な構成によって本発明の意図する構成が構築されるため、製造の容易化や製造コストの抑制などを図る上で、より好ましいものとなる。
【００１３】
本発明において、好ましくは、前記筐体内に収容された電気部品としては、前記電気装置の稼働状況を表示するための表示部を構成する電気部品があり、前記絶縁シートは前記表示部の前方を覆わないように設けられ、かつ前記フロントカバーには透視窓部が設けられていることにより、この透視窓部を介して前記表示部を前記フロントカバーの前方から目視可能とされており、前記弾性部材は、前記表示部の上側に位置し、かつ前記絶縁シートからその前方に突出した状態に設けられている。
【００１４】
このような構成によれば、筐体内の表示部をフロントカバーの前方から適切に目視し得ることは勿論のこと、前記弾性部材には、表示部の上側に位置する保護用の庇としての役割をもたせることができる。より具体的には、たとえば筐体内に万一雨水や塵などが進入した場合に、この雨水や塵を弾性部材により遮り、雨水や塵が表示部の位置に到達することを防止することができる。したがって、表示部が雨水で濡れたり、あるいは塵によって汚れるといったことを好適に回避するのに役立つ。
【００１５】
本発明において、好ましくは、前記筐体内には、前記電気部品の取り付けに利用される少なくとも１つのフレームが組み込まれており、このフレームとしては、前記絶縁シートのうち、前記弾性部材が取り付けられた部分の後面部に当接することにより、前記弾性部材が後方へ移動することを規制可能なフレームが設けられている。
【００１６】
このような構成によれば、弾性部材が後方へ移動することが規制されているため、弾性部材の圧縮、および圧縮状態が解除された際の弾発力の発生をより的確に行なわせることができる。弾性部材が後方へ移動することの規制は、電気部品の取り付けに利用されるフレームを用いて行なわれているため、それ専用の部材を用いるような必要はなく、その構成は合理的である。
【００１７】
本発明において、好ましくは、前記電気部品は、少なくともその一部分が前記筐体の前面開口部からその前方に突出した状態に設けられており、前記フロントカバーは、前記電気部品の前記突出した部分との干渉を回避するように前記フロントカバーの他の部分よりも前方に膨出した膨出部を有しており、前記弾発力発生部材は、前記膨出部に当接するように設けられている。
【００１８】
このような構成によれば、電気部品の収容が効率良く行なえ、筐体の小サイズ化を図る上で好ましいものとなる。また、弾発力発生部材がフロントカバーの膨出部に当接しているため、前記膨出部を弾発力発生部材によって支持し、前記膨出部が筐体側に変形するような不具合を防止することができるといった効果も得られる。
【００１９】
本発明のその他の特徴および利点は、添付図面を参照して以下に行なう発明の実施の形態の説明から、より明らかになるであろう。
【図面の簡単な説明】
【００２０】
【図１】本発明に係る電気装置の一例に相当するパワーコンディショナの斜視図である。
【図２】図１に示すパワーコンディショナのフロントカバーを外した状態の斜視図である。
【図３】図１に示すパワーコンディショナの筐体内部構造と絶縁シートとを示す分解斜視図である。
【図４】図１に示すパワーコンディショナの筐体の背面部に装着された補助筐体およびフロントカバーを外した状態の斜視図である。
【図５】（ａ）は、図１のVa−Va断面図であり、（ｂ）は、（ａ）の構造においてフロントカバーを取り外す際の状態を示す要部断面図である。
【図６】図５（ａ）の要部分解断面図である。
【図７】本発明の他の例を示す要部断面図である。
【図８】（ａ），（ｂ）は、従来技術の一例を示す概略断面図である。
【図９】従来技術の他の例を示す概略断面図である。
【発明を実施するための形態】
【００２１】
以下、本発明の好ましい実施の形態について、図面を参照して具体的に説明する。
【００２２】
図１に示すパワーコンディショナＡは、たとえば家屋の外壁などに壁掛け状態で取り付けられて使用される屋外設置用の壁掛け型であり、本発明でいう電気装置の一例に該当する。このパワーコンディショナＡは、既存のパワーコンディショナと同様に、ソーラパネルなどにおいて発電された直流電力を５０Ｈｚまたは６０Ｈｚなどの所定周波数の交流電力に変換し、商用系統に連系させる機能を有するものである。
【００２３】
図２〜図４によく表われているように、パワーコンディショナＡは、前面開口部１０を有する略矩形状の金属製の筐体１、この筐体１の前面開口部１０を閉塞するためのフロントカバー２、筐体１内の前側部分に取り付けられる絶縁シート４、この絶縁シート４に貼着された弾性部材６（本発明でいう弾発力発生部材の一例に相当する）、および筐体１の背面部に組み付けられる補助筐体５を備えている。
【００２４】
筐体１内には、電源回路、インバータ回路、出力回路などを構成する各種の電気部品３が収容されている。図４に示すように、筐体１の背面部には、複数の電気部品３から熱伝導を受けてその放熱を行なうための複数のフィン３９ａを有するヒートシンク３９が設けられている。補助筐体５は、このヒートシンク３９を覆うためのものであり、上壁部５０ａおよび左右両側壁部５０ｂを有するフレーム５０と、背面板部５１ａおよび下壁部５１ｂを有する背面パネル５１とを組み合わせたものである。これらの部材には、複数の通気孔５２ａ〜５２ｃが設けられており、ヒートシンク３９を冷却するための空気（外気）が補助筐体５内に流入出可能である。補助筐体５の内部には、通気孔５２ａ〜５２ｃから雨水などが浸入する虞があるため、ヒートシンク３９は耐水性に優れた材質とされている。
【００２５】
筐体１は、その内部に電気部品３を収容するものであるため、補助筐体５とは異なり、内部への雨水などの浸入ができる限り生じ難い構造とされている。筐体１の内部と補助筐体５の内部との間は、筐体１の背板部１９（図５（ａ）を参照）や、ヒートシンク３９などを介して仕切られており、補助筐体５内に浸入した水が筐体１内にさらに浸入することは適切に防止されている。
【００２６】
図２において、フロントカバー２は、たとえば金属製のプレス成形品に樹脂コーティング塗装などを施して形成されたものであり、筐体１の前面部にビスなどの複数のネジ体９０（本発明でいう締結部材の一例に相当）を用いて取り付けられる。より具体的には、筐体１の前面部には、筐体１の外面から起立した断面形状をもつ矩形枠状のフランジ部１１が設けられている。フロントカバー２は、このフロントカバー２の外周縁部とフランジ部
１１との間に防水用のパッキン９８を挟むようにしてフランジ部１１の前面部に対向し、かつネジ体９０を用いてフランジ部１１に締結されている。パッキン９８は、本発明でいう弾発力発生部材には相当しない。
【００２７】
フロントカバー２の外周縁の全周または略全周には、このフロントカバー２の後方に向けて突出するように屈曲した枠状の屈曲片部２０が設けられており、かつこの屈曲片部２０は、フランジ部１１に外嵌するように設定される（図５（ａ）を参照）。屈曲片部２０は、パッキン９８を介して筐体１とフロントカバー２とが当接した部分の全周囲を覆い、筐体１内に雨水などをより浸入し難くする役割を果たす。フランジ部１１のうち、筐体１の上部に位置して左右横幅方向に延びる部分は、上向き突出部１１ａである。これに対し、フロントカバー２の屈曲片部２０のうち、上部屈曲片部２０ａは、上向き突出部１１ａの上端の上側に位置し、上向き突出部１１ａに係合可能である。
【００２８】
絶縁シート４は、電気部品３の絶縁保護を図るためのものであって、電気絶縁性を有する樹脂製であり、電気部品３の前面側を覆うように筐体１に取り付けられている。筐体１内の適所には、絶縁シート４の取り付けに用いられるネジ体９１を螺合装着させるためのネジ孔を設けたブラケット部１８などが設けられている（図５および図６を参照）。一方、筐体１内に収容された電気部品３としては、パワーコンディショナＡの稼働状況を表示する表示部３０を構成するものがある。この表示部３０は、たとえば８セグメント表示器３（３ａ）やＬＥＤランプ３（３ｂ）などを用いて構成されている（図２〜図４を参照）。表示部３０の表示項目としては、たとえば発電の電力ＫＷや電力量ＫＷｈの表示、連系・自立・抑制などのオン・オフの表示などがなされる。絶縁シート４は、表示部３０の前面側を覆わないように設けられている。フロントカバー２のうち、表示部３０の正面に相当する箇所には、透明部材を用いて構成された透視窓部２１が設けられている。表示部３０の表示は、フロントカバー２の前方から透視窓部２１を介して目視可能である。
【００２９】
弾性部材６は、たとえば発泡樹脂製またはゴム製の細長なブロック状であり、弾性復元力を伴って圧縮変形可能である。この弾性部材６は、絶縁シート４のうち、表示部３０の上側に接着され、かつ絶縁シート４からその前方に突出しており、表示部３０の上側に位置する庇状となっている。絶縁シート４の左右横幅方向の長さは、表示部３０の全体の左右横幅方向の長さ以上である。図示された構成では、絶縁シート４の長さは、表示部３０よりもかなり長い寸法とされている。
【００３０】
図５（ａ）に示すように、フロントカバー２を筐体１に取り付けた状態においては、弾性部材６は、筐体１およびフロントカバー２内の収容空間部に位置し、かつフロントカバー２の内側面に当接して圧縮する。筐体１には、表示部３０を構成する電気部品３や他の電気部品３を取り付けるためのフレーム１７（内部フレーム）が組み付けられているが、このフレーム１７の一部分１７ａは、筐体１の前方に向けて突出する屈曲状とされ、かつ絶縁シート４のうち、弾性部材６の取り付け箇所の背面部に当接するように設定されている。このことにより、弾性部材６が筐体１の後方へ移動することは規制されている。
【００３１】
図６によく表われているように、複数の電気部品３のうち、表示部３０を構成する電気部品３や、これ以外の他の電気部品３（３ｃ）などの一部の電気部品は、筐体１の前面開口部１０からその前方に適当な寸法（最大突出寸法Ｌａ）だけ突出した状態に設けられている。このことにより、筐体１の大型化を抑制しつつ、筐体１内への電気部品３の組み込みをスペース効率良く行なうことができる。一方、フロントカバー２の上下高さ方向の中央寄り部分は、このフロントカバー２の上縁部や下縁部よりも適当な寸法Ｌｂだけ前方に膨出した膨出部２２とされ、フロントカバー２と電気部品３とが不当に干渉しないようにされている。弾性部材６は、フロントカバー２の膨出部２２の内側面に当接するように構成されている。
【００３２】
次に、前記したパワーコンディショナＡの作用について説明する。
【００３３】
まず、図５（ａ）に示すように、筐体１にフロントカバー２が取り付けられた通常状態においては、弾性部材６はフロントカバー２によって圧縮された状態にある。このため、同図（ｂ）に示すように、ネジ体９０を取り外した際には、フロントカバー２のうち、弾性部材６に接触している部分が弾性部材６の弾発力Ｆによって前方に押される。ここで、弾発力Ｆによる押圧位置は、上部屈曲片部２０ａと上向き突出部１１ａとの係合箇所よりも低い位置であるため、上部屈曲片部２０ａが上向き突出部１１ａの前方側へ移動しないようにし、上部屈曲片部２０ａと上向き突出部１１ａとの係合状態を適切に維持させることが可能となる。
【００３４】
ネジ体９０を取り外した際には、パッキン９８が弾性復元し、フロントカバー２の全体を前側に押圧する力を発揮する虞があるが、弾性部材６の押圧力Ｆは、パッキン９８の弾性復元力によってフロントカバー２の全体がそのまま前方へ押し出されることを回避し、上部屈曲片部２０ａの上部と上向き突出部１１ａとの係合状態を適切に維持させる作用を生じさせる。
このようなことから、パワーコンディショナＡのメンテナンス時などにおいて、作業者がフロントカバー２を落下させてしまう虞を無くし、または少なくすることができる。その結果、フロントカバー２が損傷すること、および落下したフロントカバー２が電気部品３に当たって電気部品３が損傷するといった不具合を好適に解消することができる。
【００３５】
弾性部材６は、表示部３０を保護する役割も果たす。具体的には、弾性部材６は、既述したように、表示部３０の上側に位置する庇状に設けられているため、仮に、筐体１内の上部に雨水が浸入し、この雨水が絶縁シート４の表面に沿って下方に流れ落ちてきたとしても、この雨水は弾性部材６によって塞き止められ、表示部３０の前面部には到達しないようにすることができる。したがって、表示部３０の保護が図られる。なお、弾性部材６に到達した雨水は、弾性部材６の上面上を横向きに流れて弾性部材６の長手方向端部から絶縁シート４の表面に沿って下方に流れ落ち、他の電気部品３も濡れないようになっている。
【００３６】
その他、弾性部材６は、フロントカバー２の膨出部２２に当接しているため、この膨出部２２が弾性部材６によって支持（補強）された状態となる。これは、膨出部２２が作業者によって押された際に、筐体１側に押し込まれるように変形することを防止するのに役立つ。
【００３７】
図７は、本発明の他の実施形態を示している。同図において、前記実施形態と同一または類似の要素には、前記実施形態と同一の符号を付している。
【００３８】
図７に示す実施形態においては、弾性部材６がフロントカバー２に取り付けられている。このような構成であっても、フロントカバー２を筐体１に取り付けた際には、筐体１およびフロントカバー２内の収容空間部において弾性部材６を圧縮変形させ、本発明が意図する作用を得ることが可能である。
【００３９】
本発明は、上述した実施形態の内容に限定されない。本発明に係る電気装置の各部の具体的な構成は、本発明の意図する範囲内において種々に設計変更自在である。
【００４０】
本発明でいう電気装置とは、筐体内に電気部品が収容された装置であり、パワーコンディショナに限定されない。本発明は、屋外設置用の壁掛け型の電気装置に好適であるが、
これ以外の屋内設置用の電気装置や、壁掛け型以外の電気装置にも適用することができる。
【００４１】
弾性部材６は、絶縁シート４に取り付けることに代えて、たとえば電気部品を支持するフレームや、頑強な電気部品などに取り付けた構成とすることも可能である。本発明でいう弾発力発生部材としては、上述した弾性部材６のように、発泡樹脂やゴム製などのものに代えて、たとえば金属製などのバネを用いることもできる。弾性部材６は、上述した実施形態のように表示部３０を保護するための庇として用いることが好ましいものの、そのような態様で設けられていなくてもよい。なお、表示部３０を弾性部材６によって保護する場合、弾性部材６を表示部３０の上側のみに設けることに代えて、表示部３０の周囲（上方、横、下方など）の全周または略全周を囲むように設けた構成とすることもできる。
【００４２】
筐体は、前面開口部を有し、かつ前寄り部分の上部に上向き突出部が設けられた構成であればよい。上向き突出部は、必ずしも筐体の左右幅方向に長く延びた形態でなくてもよく、たとえば横幅が小さい上向き突出状とし、これを複数箇所設けた構成とすることもできる。
フロントカバーは、筐体の前面開口部を塞ぐようにして筐体の前面部に締結部材を用いて取り付けられる構成であって、筐体の上向き突出部の上側に位置して上向き突出部に係合可能な上部屈曲片部を有する構成であればよい。上部屈曲片部もについても、筐体の上向き突出部と同様に、左右横幅方向に長く延びた形態でなくてもよく、横幅が小さい形状とすることができる。
本発明でいう締結部材は、ビスなどのネジ体に限らず、フロントカバーと筐体との締結可能なものであればよい。
【符号の説明】
【００４３】
Ａ  パワーコンディショナ（電気装置）
１  筐体
１０  前面開口部
１１ａ  上向き突出部
１７  フレーム
２  フロントカバー
２０ａ  上部屈曲片部
２１  透視窓部
２２  膨出部
３  電気部品
３０  表示部
４  絶縁シート
６  弾性部材（弾発力発生部材）
９０  ネジ体（締結部材）
【図１】
0006548142.tif 000002
【図２】
0006548142.tif 000003
【図３】
0006548142.tif 000004
【図４】
0006548142.tif 000005
【図５】
0006548142.tif 000006
【図６】
0006548142.tif 000007
【図７】
0006548142.tif 000008
【図８】
0006548142.tif 000009
【図９】
0006548142.tif 000010